(57)【要約】【課題】回路体端部の係止を容易に解除することができるフラット回路体とコネクタとの接続構造を提供すること。【解決手段】フラット回路体１０の端部である回路体端部１０ａに取り付けられ、該回路体端部１０ａのコネクタ本体７０内への挿入をガイドするガイド部材２０と、コネクタ本体７０に組み付けられる係止部材８０とによって、前記回路体端部１０ａを前記コネクタ本体７０内に係止し、前記フラット回路体１０と前記コネクタ６０とを電気的に接続するフラット回路体とコネクタとの接続構造１において、前記ガイド部材２０は、前記係止部材８０による前記回路体端部１０ａの係止を解除する係止部材用係止解除部４０を有する。【選択図】図８
2015015080.tif 000002
【特許請求の範囲】
【請求項１】
フラット回路体の端部である回路体端部に取り付けられ、該回路体端部のコネクタ本体内への挿入をガイドするガイド部材と、コネクタ本体に組み付けられる係止部材とによって、前記回路体端部を前記コネクタ本体内に係止し、前記フラット回路体と前記コネクタとを電気的に接続するフラット回路体とコネクタとの接続構造において、
前記ガイド部材は、
前記係止部材による前記回路体端部の係止を解除する係止部材用係止解除部
を有することを特徴とするフラット回路体とコネクタとの接続構造。
【請求項２】
前記係止部材用係止解除部は、
前記ガイド部材の外表面に突設された支点部と、
前記支点部から前記コネクタ本体への前記フラット回路体の挿入方向に延びるアーム部と、
前記支点部から前記アーム部とは逆方向に延びる係止解除操作部と、
を有し、
前記係止解除操作部が押圧操作される場合、前記アーム部が前記支点部を支点としてシーソー状に可動され、前記係止部材を係止解除方向に移動するように前記係止部材に接触される
ことを特徴とする請求項１に記載のフラット回路体とコネクタとの接続構造。
【請求項３】
前記コネクタ本体は、
前記ガイド部材を係止することによって前記回路体端部を前記コネクタ本体内に係止する部材係止部を有し、
前記ガイド部材は、
前記部材係止部が係止する部材被係止部と、
押圧操作されることによって前記部材係止部と前記部材被係止部との係止を解除する本体係止解除操作部と
を有し、
前記係止解除操作部は、
前記本体係止解除操作部の近傍に設けられている
ことを特徴とする請求項２に記載のフラット回路体とコネクタとの接続構造。
【請求項４】
前記コネクタ本体は、
前記ガイド部材を係止することによって前記回路体端部を前記コネクタ本体内に係止する部材係止部を有し、
前記ガイド部材は、
前記部材係止部が係止する部材被係止部と、
押圧操作されることによって前記部材係止部と前記部材被係止部との係止を解除する本体係止解除操作部と
を有し、
前記係止解除操作部は、
前記本体係止解除操作部と一体的に設けられている
ことを特徴とする請求項２に記載のフラット回路体とコネクタとの接続構造。
【発明の詳細な説明】
【技術分野】
【０００１】
本発明は、フラット回路体とコネクタとを電気的に接続するフラット回路体とコネクタとの接続構造に関する。
【背景技術】
【０００２】
従来、フレキシブルプリント配線板（ＦＰＣ：Ｆｌｅｘｉｂｌｅ  Ｐｒｉｎｔｅｄ  Ｃｉｒｃｕｉｔ）あるいはフレキシブルフラットケーブル等のフラット回路体とコネクタとの接続構造としては、フラット回路体の端部をコネクタのコネクタ本体内に挿入することによってフラット回路体とコネクタとが電気的に接続されるようになっている（例えば、特許文献１参照）。
【０００３】
特許文献１に記載されたフラット回路体とコネクタとの接続構造は、フラット回路体にコネクタ本体への挿入をガイドするガイド部材（ブロック）が取り付けられ、このガイド部材とコネクタ本体とが係止されることによってフラット回路体の端部がコネクタ本体内に係止される。また、コネクタ本体には係止部材が組み付けられ、係止部材によって回路体端部をコネクタ本体内に確実に係止するようにしている。
【先行技術文献】
【特許文献】
【０００４】
【特許文献１】特開２０１２−８４５０１号公報
【発明の概要】
【発明が解決しようとする課題】
【０００５】
しかしながら、特許文献１に記載されたフラット回路体とコネクタとの接続構造は、係止部材が持ち上げ難く、係止を解除し難いという問題があった。
【０００６】
本発明は、上記に鑑みてなされたものであって、フラット回路体の係止を容易に解除することができるフラット回路体とコネクタとの接続構造を提供することを目的とする。
【課題を解決するための手段】
【０００７】
上述した課題を解決し、目的を達成するために、本発明の請求項１に係るフラット回路体とコネクタとの接続構造は、フラット回路体の端部である回路体端部に取り付けられ、該回路体端部のコネクタ本体内への挿入をガイドするガイド部材と、コネクタ本体に組み付けられる係止部材とによって、前記回路体端部を前記コネクタ本体内に係止し、前記フラット回路体と前記コネクタとを電気的に接続するフラット回路体とコネクタとの接続構造において、前記ガイド部材は、前記係止部材による前記回路体端部の係止を解除する係止部材用係止解除部を有することを特徴とする。
【０００８】
また、本発明の請求項２に係るフラット回路体とコネクタとの接続構造は、上記の発明において、前記係止部材用係止解除部は、前記ガイド部材の外表面に突設された支点部と、前記支点部から前記コネクタ本体への前記フラット回路体の挿入方向に延びるアーム部と、前記支点部から前記アーム部とは逆方向に延びる係止解除操作部と、を有し、前記係止解除操作部が押圧操作される場合、前記アーム部が前記支点部を支点としてシーソー状に可動され、前記係止部材を係止解除方向に移動するように前記係止部材に接触されることを特徴とする。
【０００９】
また、本発明の請求項３に係るフラット回路体とコネクタとの接続構造は、上記の発明において、前記コネクタ本体は、前記ガイド部材を係止することによって前記回路体端部を前記コネクタ本体内に係止する部材係止部を有し、前記ガイド部材は、前記部材係止部が係止する部材被係止部と、押圧操作されることによって前記部材係止部と前記部材被係止部との係止を解除する本体係止解除操作部とを有し、前記係止解除操作部は、前記本体係止解除操作部の近傍に設けられていることを特徴とする。
【００１０】
また、本発明の請求項４に係るフラット回路体とコネクタとの接続構造は、上記の発明において、前記コネクタ本体は、前記ガイド部材を係止することによって前記回路体端部を前記コネクタ本体内に係止する部材係止部を有し、前記ガイド部材は、前記部材係止部が係止する部材被係止部と、押圧操作されることによって前記部材係止部と前記部材被係止部との係止を解除する本体係止解除操作部とを有し、前記係止解除操作部は、前記本体係止解除操作部と一体的に設けられていることを特徴とする。
【発明の効果】
【００１１】
本発明の請求項１に係るフラット回路体とコネクタとの接続構造は、前記ガイド部材が有する係止部材用係止解除部によって前記係止部材による前記回路体端部の係止を解除することができるので、フラット回路体の係止を容易に解除することができる。
【００１２】
本発明の請求項２に係るフラット回路体とコネクタとの接続構造は、前記係止解除操作部を押圧操作することによってフラット回路体の係止を容易に解除することができる。
【００１３】
本発明の請求項３に係るフラット回路体とコネクタとの接続構造は、前記係止解除操作部が、前記本体係止解除操作部の近傍に設けられているので、前記本体係止解除操作部を押圧操作する際に、前記係止解除操作部を一緒に押圧操作することができ、前記フラット回路体の係止箇所が複数ある場合においても係止を容易に解除することができる。
【００１４】
本発明の請求項４に係るフラット回路体とコネクタとの接続構造は、前記係止解除操作部が、前記本体係止解除操作部と一体的に設けられているので、前記本体係止解除操作部と前記係止解除操作部とを一括で押圧操作することができ、前記フラット回路体の係止箇所が複数ある場合においても係止を容易に解除することができる。
【図面の簡単な説明】
【００１５】
【図１】図１は、本発明の実施例に係るフラット回路体とコネクタとの接続構造１の分解斜視図である。
【図２】図２は、（ａ）が、フラット回路体がコネクタに接続される前のフラット回路体とコネクタとの接続構造の斜視図であり、（ｂ）が、フラット回路体がコネクタに接続されたフラット回路体とコネクタとの接続構造の斜視図である。
【図３】図３は、コネクタの拡大斜視図である。
【図４】図４は、ガイド部材が取り付けられたフラット回路体の斜視図である。
【図５】図５は、図４に示すガイド部材２０が取り付けられたフラット回路体のＸ−Ｘ線断面図である。
【図６】図６は、図１に示すガイド本体部を裏面から視た斜視図である。
【図７】図７は、フラット回路体の回路体端部がコネクタ本体内に挿入開始されてから係止前までのフラット回路体およびコネクタの動作を示す図である。
【図８】図８は、フラット回路体の回路体端部がコネクタ本体内に係止されている状態のフラット回路体およびコネクタを示す図である。
【図９】図９は、フラット回路体をコネクタから外すため、係止部材を持ち上げたときのフラット回路体およびコネクタの動作を示す図である。
【図１０】図１０は、変形例のフラット回路体とコネクタとの接続構造の斜視図である。
【発明を実施するための形態】
【００１６】
以下、図面を参照して、本発明に係るフラット回路体とコネクタとの接続構造の好適な実施例を詳細に説明する。
図１は、本発明の実施例に係るフラット回路体とコネクタとの接続構造１の分解斜視図である。図２は、（ａ）が、フラット回路体１０がコネクタ６０に接続される前のフラット回路体とコネクタとの接続構造１の斜視図であり、（ｂ）が、フラット回路体１０がコネクタ６０に接続されたフラット回路体とコネクタとの接続構造１の斜視図である。図３は、コネクタ６０の拡大斜視図である。図４は、ガイド部材２０が取り付けられたフラット回路体１０の斜視図である。図５は、図４に示すガイド部材２０が取り付けられたフラット回路体１０のＸ−Ｘ線断面図である。図６は、図１に示すガイド本体部３０を裏面から視た斜視図である。
なお、本発明の実施例では説明の便宜上、図中に示すように前後、左右及び上下方向を定義する。
【００１７】
本発明の実施例に係るフラット回路体とコネクタとの接続構造１は、フレキシブルプリント配線板あるいはフレキシブルフラットケーブル等のフラット回路体１０の端部である回路体端部１０ａに取り付けられ、回路体端部１０ａのコネクタ本体７０内への挿入をガイドするガイド部材２０と、コネクタ本体７０に組み付けられる係止部材８０とによって、回路体端部１０ａをコネクタ本体７０内に係止し、フラット回路体１０とコネクタ６０とを電気的に接続するものである。
【００１８】
まず、フラット回路体１０について説明する。
フラット回路体１０は、この実施例では、フレキシブルプリント配線板を用いる。このフラット回路体１０は、導電性の金属膜がパターン形成された不図示の回路配線を有し、この回路配線の両面が絶縁性薄膜フィルム１１によって覆われた平板状可撓性の回路基板である。
また、フラット回路体１０の回路体端部１０ａには不図示の複数の端子が並んで形成されている。複数の端子は、絶縁性薄膜フィルム１１の一部が除去され各端子の接続面が露出されることによって、コネクタ６０の各端子６１に接続される。
また、回路体端部１０ａは、複数の端子が露出される側の面の裏面に補強板１２が貼り付けられることによって補強されている。
【００１９】
このようなフラット回路体１０は、後述する回路体係止部８３が係止する回路体被係止部１３を有する。
回路体被係止部１３は、回路体端部１０ａに形成された孔部であり、二箇所に設けられた回路体係止部８３に対応して回路体端部１０ａの二箇所に形成されている。
【００２０】
次に、ガイド部材２０について説明する。
ガイド部材２０は、ガイド本体部３０と、ガイド本体部３０とは別部材のカバー部材５０と、を有する。
【００２１】
ガイド本体部３０は、合成樹脂等の絶縁性材からなり、外郭が略直方体形状に形成されている。このガイド本体部３０は、部材係止部７８が係止する部材被係止部３１と、押圧操作されることによって部材係止部７８と部材被係止部３１との係止を解除する本体係止解除操作部３２と、フラット回路体１０が取り付けられる回路体取付部３３と、係止部材８０による回路体端部１０ａの係止を解除する係止部材用係止解除部４０と、を有する。
【００２２】
部材被係止部３１は、ガイド本体部３０の表面に突設された支点部からコネクタ本体７０へのフラット回路体１０の挿入方向に延びる一対の係止アーム部３１ａ、３１ａと、一対の係止アーム部３１ａ、３１ａの先端を橋渡すように連結する端部連結部３１ｂと、を有する。
部材被係止部３１は、回路体端部１０ａがコネクタ本体７０内に挿入される際、一対の係止アーム部３１ａ、３１ａが支点部を支点としてシーソー状に可動され、端部連結部３１ｂが部材係止部７８をのり越えるようになっている。このため、部材被係止部３１は、端部連結部３１ｂが部材係止部７８をのり越えた後、一対の係止アーム部３１ａ、３１ａが中立位置に戻されることによって、部材係止部７８に係止される。
【００２３】
本体係止解除操作部３２は、押圧操作される場合、一対の係止アーム部３１ａ、３１ａが支点部を支点としてシーソー状に可動され、端部連結部３１ｂが部材係止部７８をのり越えるように位置される。
【００２４】
回路体取付部３３は、フラット回路体１０が取り付けられる取付面３３ａと、取付面３３ａの二箇所に突設された保持突起３３ｂ、３３ｂと、ガイド本体部３０の両側部に突設された係止突起３３ｃと、を有する。
【００２５】
取付面３３ａは、ガイド本体部３０の裏面に形成された平面部分であり、フラット回路体１０が面接触されるように取り付けられる。
【００２６】
各保持突起３３ｂは、フラット回路体１０に形成された各保持孔１４に嵌め込まれることによって、フラット回路体１０を所定位置に位置決めするものである。
なお、二箇所の保持突起３３ｂ、３３ｂは互いの位置を回路体端部１０ａの挿入方向にズラして設けられている。また、二箇所の保持突起３３ｂ、３３ｂに対応してフラット回路体１０の保持孔がズラして形成されているため、フラット回路体１０が表裏を間違えてガイド本体部３０に取り付けられることを防止でき、フラット回路体１０の誤組み付けが防止されるようになっている。
【００２７】
各係止突起３３ｃは、カバー部材５０の係止部５２と係止する部分である。
【００２８】
係止部材用係止解除部４０は、コネクタ本体の上面に長手方向に所定の間隔を開けて二箇所に設けられている。
この係止部材用係止解除部４０は、ガイド部材２０の外表面に突設された支点部４１と、支点部４１からコネクタ本体７０へのフラット回路体１０の挿入方向に延びるアーム部４２と、支点部４１からアーム部４２とは逆方向に延びる係止解除操作部４３と、を有する。
【００２９】
この係止解除操作部４３が押圧操作される場合、アーム部４２が支点部４１を支点としてシーソー状に可動され、係止部材８０を係止解除方向に移動するように係止部材８０に接触される。
【００３０】
各アーム部４２は、係止解除操作部４３が押圧操作される前の状態では、先端がフラット回路体１０の挿入方向に略平行に延びた状態で後述する係止解除部に配置される。この状態から、係止解除操作部４３が押圧操作されることによって、アーム部４２が係止部材を押し上げる。
【００３１】
また、係止解除操作部４３は、本体係止解除操作部３２の近傍に設けられている。より具体的には、係止解除操作部４３は、コネクタ本体の長手方向に沿って二つの係止解除操作部４３、４３の間、かつ二つの係止解除操作部４３、４３に並んで配置されている。
【００３２】
カバー部材５０は、合成樹脂等の絶縁性材からなり、図１に示すように、外形が長方形形状の板状部材であり、ガイド本体部３０にフラット回路体１０を固定するものである。
このカバー部材５０は、長手方向の両縁が上方に折り曲げられた折り曲げ部５１、５１を有する。各折り曲げ部５１は、ガイド本体部３０の側部に接触され、係止突起３３ｃと係止する係止部５２が設けられている。
このようなカバー部材５０は、係止部５２を係止突起３３ｃに係止することによって、ガイド本体部３０との間にフラット回路体１０を挟み込み保持する。
【００３３】
次に、コネクタ６０について説明する。
コネクタ６０は、本体部分を構成するコネクタ本体７０と、コネクタ本体７０に組み付けられる係止部材８０と、を有する。
コネクタ本体７０は、合成樹脂等の絶縁材からなり、底面を形成する外形長方形状の底壁７１と、底壁７１の左右の両端部に立設された側壁７２、７２と、底壁７１の後端部に立設された後壁７３と、上面を形成する天井壁７４と、を有する。
このコネクタ本体７０は、これらの壁によって外郭が形成されるとともに、回路体挿入口７０ａから挿入された回路体端部１０ａが収容される回路体端部収容空間７５が形成されている。
回路体端部収容空間７５内には、複数の端子６１が配置され、フラット回路体１０の端子に接続されるようになっている。
【００３４】
また、コネクタ本体７０は、係止部材８０が組み付けられる係止部材組付部７６と、ガイド部材２０を係止することによって回路体端部１０ａをコネクタ本体７０内に係止する部材係止部７８と、を有する。
係止部材組付部７６は、係止部材８０の移動をガイドするように後述する一対の被ガイド部８２、８２に対応して左右の両側壁７２、７２に設けられた一対のガイド部７７、７７を有する。
【００３５】
各ガイド部７７は、係止部材８０が係止部材組付部７６に組み付けられることによって、回路体端部１０ａがコネクタ本体７０内に挿入されてからコネクタ本体７０内に係止されまでの係止部材８０の移動をガイドするガイド面７７ａ（図１参照）を有する。
【００３６】
部材係止部７８は、コネクタ本体７０の上面から突起した突起部分であり、ガイド部材２０の部材被係止部３１を係止する部分である。
【００３７】
このようなコネクタ本体７０は、固定金具９０によって取付先となる不図示の基板等に固定される。
【００３８】
係止部材８０は、合成樹脂等の絶縁材からなり、回路体係止部８３を回路体被係止部１３、１３に係脱できるようにコネクタ本体７０に組み付けられる。
この係止部材８０は、部材本体８１と、一対の被ガイド部８２、８２と、部材本体８１の二箇所に設けられた回路体係止部８３、８３と、二箇所に設けられた係止解除部８４、８４と、を有する。
【００３９】
各被ガイド部８２は、部材本体８１の長手方向の各端部に設けられ、ガイド面７７ａに弾性力を利用して付勢されることによって、下方に移動する力を受ける部分である。
各被ガイド部８２は、自由端側を係止部材８０の内側に向けて弾性的に撓み変形可能に設けられ、かつガイド面７７ａに付勢される一対の弾性アーム部８２ａ、８２ａを有する。
【００４０】
各弾性アーム部８２ａは、先端部に係止部材８０の外側に向けて突起された付勢突起８２ｂが設けられている。
この付勢突起８２ｂがガイド面７７ａに付勢され、弾性アーム部８２ａの撓み荷重がガイド面７７ａに負荷されることによって、その反力を受けた係止部材８０が自動で下方に移動されるようになっている。
すなわち、係止部材８０は、各回路体係止部８３を上方から各回路体被係止部１３、１３の孔内に嵌め込ませるため、弾性力を利用して自動で下方に移動するようになっている。
【００４１】
回路体係止部８３は、回路体被係止部１３を係止する部分である。この回路体係止部８３は、回路体被係止部１３の孔内に嵌め込まれる凸部である。
【００４２】
また、回路体係止部８３は、回路体端部１０ａが摺接される摺接面８３ａが形成されている。
摺接面８３ａは、下端から上方に向けて上り傾斜状に傾斜されるように回路体係止部８３の前面に形成されている。この摺接面８３ａに回路体端部１０ａが摺接されることによって、係止部材８０が一対の被ガイド部８２、８２をガイド面７７ａにガイドされながら上方に移動される。これにより、回路体端部１０ａが回路体係止部８３に移動を阻止されることなくコネクタ本体７０内に挿入される。
【００４３】
係止解除部８４は、係止部材用係止解除部４０によって係止部材８０が係止解除方向に移動される場合に、一対のアーム部４２、４２が接触される部分である。
係止解除部８４は、部材本体８１の下面に各アーム部４２に対応して二箇所に設けられた溝部であり、コネクタ本体７０の上面との間に各アーム部４２の先端が挿入できる溝深さが調整されている。
【００４４】
次に、図７および図８を用いて、フラット回路体１０の回路体端部１０ａがコネクタ本体７０内に挿入開始されてからコネクタ本体７０内に係止されるまでのフラット回路体１０およびコネクタ６０の動作について説明する。
図７は、フラット回路体１の回路体端部１０ａがコネクタ本体７０内に挿入開始されてから係止前までのフラット回路体１０およびコネクタ７０の動作を示す図である。
図８は、フラット回路体１の回路体端部１０ａがコネクタ本体７０内に係止されている状態のフラット回路体１０およびコネクタ７０を示す図である。
止されるまでのフラット回路体１０およびコネクタ７０の動作を示す図である。
なお、図７および図８において、（Ａ）が図２に示すフラット回路体とコネクタとの接続構造１のＡ−Ａ線断面図であり、（Ｂ）が図２に示すフラット回路体とコネクタとの接続構造１のＢ−Ｂ線断面図であり、（Ｃ）が図２に示すフラット回路体とコネクタとの接続構造１のＣ−Ｃ線断面図である。
【００４５】
まず、フラット回路体１０が回路体挿入口７０ａからコネクタ本体７０内に挿入開始される（図７左図参照）。この時点では、係止部材８０が移動範囲の下端に位置されているため、各回路体係止部８３が移動範囲の下端に位置されている。
【００４６】
その後、フラット回路体１０が挿入方向奥側にさらに移動され、各アーム部４２が各係止解除部８４の手前に配置される（図７右図参照）。
この時点では、部材被係止部３１が部材係止部７８に接触開始され、端部連結部３１ｂと部材係止部７８とが接触されることによって、部材被係止部３１の一対の係止アーム部３１ａ、３１ａがシーソー状に可動開始され、端部連結部３１ｂが部材係止部７８をのり越えるように移動される。
また、回路体端部１０ａが各回路体係止部８３の摺接面８３ａに摺接されることによって、係止部材８０が上方に移動される。これにより、各回路体係止部８３が上方に移動され、フラット回路体１０が各回路体係止部８３に阻止されることなく移動できる。
【００４７】
その後、フラット回路体１０が挿入方向奥側にさらに移動されることによって、回路体端部１０ａがコネクタ本体７０内に係止される（図８）。
より具体的には、端部連結部３１ｂが部材係止部７８をのり越えた後、一対の係止アーム部３１ａ、３１ａが中立位置に戻されることによって、部材係止部７８が部材被係止部３１を係止する。
一方、各被ガイド部８２が係止部材８０を下方に移動する力を受けることによって、係止部材８０が自動で下方に移動し、各回路体係止部８３が各回路体被係止部１３を係止する。
また、このように回路体端部１０ａがコネクタ本体７０内に係止されると、ガイド部材２０の各アーム部４２が各係止解除部８４の溝部内に挿入される。
【００４８】
次に、図９を用いて、コネクタ本体７０内に係止されたフラット回路体１０をコネクタ６０から外すまでのフラット回路体１０およぶコネクタ６０の動作について説明する。
図９は、フラット回路体１０をコネクタ６０から外すため、係止部材８０を持ち上げたときのフラット回路体およびコネクタの動作を示す図である。
なお、図９において、（Ａ）が図２に示すフラット回路体とコネクタとの接続構造１のＡ−Ａ線断面図であり、（Ｂ）が図２に示すフラット回路体とコネクタとの接続構造１のＢ−Ｂ線断面図であり、（Ｃ）が図２に示すフラット回路体とコネクタとの接続構造１のＣ−Ｃ線断面図である。
【００４９】
まず、各係止解除操作部４３を押圧操作することによって、係止部材８０による回路体端部１０ａの係止を解除するとともに、本体係止解除操作部３２を押圧操作することによって、部材係止部７８と部材被係止部３１との係止を解除する。
より具体的には、各係止解除操作部４３を押圧操作することによって、各アーム部４２が支点部４１を支点としてシーソー状に可動され、係止部材８０が上方に押し上げられる（図９（Ａ）参照）。これにより、各回路体係止部８３が各回路体被係止部１３の孔から外れる（図９（Ｃ）参照）。
また、本体係止解除操作部８３を押圧操作することによって、部材被係止部３１の一対の係止アーム部３１ａ、３１ａが撓み変形され、端部連結部３１ｂが部材係止部７８をのり越えるように位置される（図９（Ｂ）参照）。ここで、二箇所の係止解除操作部４３、４３と、本体係止解除操作部８３とが近傍に設けられているため、一括で押圧操作することができる。
【００５０】
その後、フラット回路体１０を挿入方向とは逆方向に引っ張ることによって、上述した動作の逆の動作でフラット回路体１０がコネクタ６０から外される。
【００５１】
本発明の実施例に係るフラット回路体とコネクタとの接続構造１は、ガイド部材２０が有する係止部材用係止解除部４０によって係止部材８０による回路体端部１０ａの係止を解除することができるので、フラット回路体１０の係止を容易に解除することができる。
【００５２】
また、本発明の実施例に係るフラット回路体とコネクタとの接続構造１は、係止解除操作部４３を押圧操作することによってフラット回路体１０の係止を容易に解除することができる。
【００５３】
また、本発明の実施例に係るフラット回路体とコネクタとの接続構造１は、係止解除操作部４３が、本体係止解除操作部３２の近傍に設けられているので、本体係止解除操作部３２を押圧操作する際に係止解除操作部４３を一緒に押圧操作することができ、フラット回路体１０の係止箇所が複数ある場合においても係止を容易に解除することができる。
【００５４】
（変形例）
次に、図１０を用いて本発明の実施例に係るフラット回路体とコネクタとの接続構造１の変形例について説明する。図１０は、変形例のフラット回路体とコネクタとの接続構造２の斜視図である。
この変形例のフラット回路体とコネクタとの接続構造２は、係止解除操作部４４が本体係止解除操作部３２と一体的に設けられている点で実施例のフラット回路体とコネクタとの接続構造１と異なる。
なお、その他の構成は実施例と同様であり、実施例と同一構成部分には同一符号を付している。
【００５５】
この変形例のフラット回路体とコネクタとの接続構造２は、実施例のフラット回路体とコネクタとの接続構造２と同様の効果を奏するとともに、係止解除操作部４４が、実施例の本体係止解除操作部３２と一体的に設けられているので、実施例の本体係止解除操作部３２と係止解除操作部４３とを一括で押圧操作することができ、フラット回路体１０の係止箇所が複数ある場合においても係止を容易に解除することができる。
【００５６】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５７】
１、２      フラット回路体とコネクタとの接続構造
１０        フラット回路体
１０ａ      回路体端部
１１        絶縁性薄膜フィルム
１２        補強板
１３        回路体被係止部
１４        保持孔
２０        ガイド部材
３０        ガイド本体部
３１        部材被係止部
３１ａ      係止アーム部
３１ｂ      端部連結部
３２        本体係止解除操作部
３３        回路体取付部
３３ａ      取付面
３３ｂ      保持突起
３３ｃ      係止突起
４０        係止部材用係止解除部
４１        支点部
４２        アーム部
４３、４４  係止解除操作部
５０        カバー部材
５１        折り曲げ部
５２        係止部
６０        コネクタ
６１        端子
７０        コネクタ本体
７０ａ      回路挿入口
７１        底壁
７２        側壁
７３        後壁
７４        天井壁
７５        回路体端部収容空間
７６        係止部材組付部
７７        ガイド部
７７ａ      ガイド面
７８        部材係止部
８０        係止部材
８１        部材本体
８２        被ガイド部
８２ａ      弾性アーム部
８２ｂ      付勢突起
８３        回路体係止部
８３ａ      摺接面
８４        係止解除部
９０        固定金具
【図１】
2015015080.tif 000003
【図２】
2015015080.tif 000004
【図３】
2015015080.tif 000005
【図４】
2015015080.tif 000006
【図５】
2015015080.tif 000007
【図６】
2015015080.tif 000008
【図７】
2015015080.tif 000009
【図８】
2015015080.tif 000010
【図９】
2015015080.tif 000011
【図１０】
2015015080.tif 000012